(57)【要約】【課題】本発明は、ディスプレイが消灯状態にあるときに任意の機能を動作させる操作が入力された場合、ディスプレイの点灯を制御することにより、起動処理中のディスプレイの消費電流を抑えることが可能な電子機器を提供する。【解決手段】データを表示する表示手段と、所定機能を起動する起動手段（Ｓ１０５）と、所定機能の起動が開始されてからこの起動が完了されるまでの間、前記表示手段による表示を禁止する表示禁止手段（Ｓ１０３）と、所定機能の起動が完了された場合、前記表示手段による表示を許可する表示許可手段（Ｓ１１５）と、を備えた。【選択図】  図４
2009294987.tif 000002
【特許請求の範囲】
【請求項１】
データを表示する表示手段と、
所定機能を起動する起動手段と、
前記起動手段により前記所定機能の起動が開始されてからこの起動が完了されるまでの間、前記表示手段による表示を禁止する表示禁止手段と、
前記起動手段により前記所定機能の起動が完了された場合、前記表示手段による表示を許可する表示許可手段と、
を備えたことを特徴とする電子機器。
【請求項２】
前記起動手段が前記所定機能を起動するときに、前記所定機能の起動が開始されてからの所定時間の経過を通知するタイマ手段を備え、
前記表示許可手段は、前記起動手段により前記所定機能の起動が完了される前に、前記タイマ手段により所定時間の経過が通知された場合、前記表示手段による表示を許可することを特徴とする請求項１記載の電子機器。
【請求項３】
データを表示する表示手段と、
所定機能を起動する起動手段と、
前記起動手段が前記所定機能を起動するときに、前記所定機能の起動が開始されてからの所定時間の経過を通知するタイマ手段と、
前記起動手段により前記所定機能の起動が開始されてから前記タイマ手段により所定時間の経過が通知されるまでの間、前記表示手段による表示を禁止する表示禁止手段と、
前記起動手段により前記所定機能の起動が完了される前に、前記タイマ手段により所定時間の経過が通知された場合、前記表示手段による表示を許可する表示許可手段と、
を備えたことを特徴とする電子機器。
【請求項４】
前記表示許可手段は、前記起動手段により前記所定機能の起動が完了される前に、前記タイマ手段により所定時間の経過が通知された場合、前記所定機能が起動中である旨を前記表示手段により表示させることを特徴とする請求項２または３記載の電子機器。
【請求項５】
データを表示する表示手段と、
所定機能を起動する起動手段と、
ユーザによる入力を受け付ける入力受付手段と、
前記起動手段により前記所定機能が起動されてから前記入力受付手段により入力が受け付けられるまでの間、前記表示手段による表示を禁止する表示禁止手段と、
前記起動手段により前記所定機能の起動が完了される前に、前記入力受付手段により入力が受け付けられた場合、前記表示手段による表示を許可する表示許可手段と、
を備えたことを特徴とする電子機器。
【請求項６】
前記起動手段により前記所定機能の起動が完了される前に、前記入力受付手段により入力が受け付けられた場合、この入力を無効にする入力無効手段を備えたことを特徴とする請求項５記載の電子機器。
【請求項７】
前記表示許可手段は、前記起動手段により前記所定機能の起動が完了される前に、前記入力受付手段により入力が受け付けられた場合、前記所定機能が起動中である旨を前記表示手段により表示させることを特徴とする請求項５記載の電子機器。
【請求項８】
前記所定機能がテレビ視聴機能であり、前記表示手段がテレビ放送を表示することを特徴とする請求項１、３、５のいずれかに記載の電子機器。
【発明の詳細な説明】
【技術分野】
【０００１】
本発明は、省電力機能などでディスプレイが消灯状態に設定されているときに、所定機能が起動された際に、ディスプレイの点灯を制御する電子機器に関するものである。
【背景技術】
【０００２】
従来、携帯電話機等の電子機器の省電力化を図るために、通信手段を介してネットワークから情報を受信している間、ＬＣＤ（Ｌｉｑｕｉｄ  Ｃｒｙｓｔａｌ  Ｄｉｓｐｌａｙ）ディスプレイのバックライトを消灯する電子機器が開発されてきたが、この方法では、通信中の消費電力は削減されるが、ユーザが通信の途中において通信経過状況を確認することができないという問題があった。
【０００３】
そこで、無線通信を介した画像データの送信中は電力消費を抑え、画像データの送信を中断するための予め定められた状態を検出したときには、無線通信を中断して送信経過情報を表示する情報端末が提案されている（特許文献１参照）。この情報端末は、無線通信による画像の送信中は、ＬＣＤを照明するバックライトを消灯し、無線通信中にキャンセルボタンが押下されたときには無線通信を中断して画像データの送信を一時停止し、ＬＣＤを照明するバックライトを点灯してＬＣＤに送信経過情報を表示するものである。
【特許文献１】特開２００７−３２９５５７号公報
【発明の開示】
【発明が解決しようとする課題】
【０００４】
携帯電話機の省電力化技術として、最後にユーザが携帯電話機等の電子機器を操作してから、予め設定された所定時間を経過しても新たな操作がない場合に、ディスプレイを消灯させる省電力機能が提案されている。このようにディスプレイが消灯している状態においてユーザが任意の機能を動作させるために携帯電話機を操作すると、直ちに省電力機能が解除されてディスプレイが点灯するが、例えばカメラ撮影機能のようにユーザがカメラ機能で撮影可能な状態に至るまでの待ち時間が長い場合や、音楽再生機能やテレビ視聴機能のようにユーザへの音楽や映像の提供が可能な状態に至るまでの待ち時間が長い場合などは、ユーザが当該機能を享受できない待ち時間中もディスプレイが電流を消費してしまうという問題があった。
【０００５】
本発明は、上記課題を鑑みてなされてものであり、ディスプレイが消灯状態にあるときに任意の機能を動作させる操作が入力された場合、ディスプレイの点灯を制御することにより、起動処理中のディスプレイの消費電流を抑えることが可能な電子機器を提供することを目的とする。
【課題を解決するための手段】
【０００６】
上記課題を解決するために、本発明に係る電子機器は、データを表示する表示手段と、所定機能を起動する起動手段と、前記起動手段により前記所定機能の起動が開始されてからこの起動が完了されるまでの間、前記表示手段による表示を禁止する表示禁止手段と、前記起動手段により前記所定機能の起動が完了された場合、前記表示手段による表示を許可する表示許可手段と、を備えたことを特徴とする。
【０００７】
また、本発明に係る電子機器は、データを表示する表示手段と、所定機能を起動する起動手段と、前記起動手段が前記所定機能を起動するときに、前記所定機能の起動が開始されてからの所定時間の経過を通知するタイマ手段と、前記起動手段により前記所定機能の起動が開始されてから前記タイマ手段により所定時間の経過が通知されるまでの間、前記表示手段による表示を禁止する表示禁止手段と、前記起動手段により前記所定機能の起動が完了される前に、前記タイマ手段により所定時間の経過が通知された場合、前記表示手段による表示を許可する表示許可手段と、を備えたことを特徴とする。
【０００８】
また、本発明に係る電子機器は、データを表示する表示手段と、所定機能を起動する起動手段と、ユーザによる入力を受け付ける入力受付手段と、前記起動手段により前記所定機能が起動されてから前記入力受付手段により入力が受け付けられるまでの間、前記表示手段による表示を禁止する表示禁止手段と、前記起動手段により前記所定機能の起動が完了される前に、前記入力受付手段により入力が受け付けられた場合、前記表示手段による表示を許可する表示許可手段と、を備えたことを特徴とする。
【発明の効果】
【０００９】
本発明に係る電子機器によると、ディスプレイが消灯状態にあるときに任意の機能を動作させる操作が入力された場合、当該操作が入力されてからユーザが当該機能を操作可能な状態に至るまで、ディスプレイの消灯状態を維持し、当該機能を操作可能または提供可能な状態に至った後に、ディスプレイを点灯させることにより、当該機能の起動処理中におけるディスプレイの消費電流を抑えることが可能となる。
【発明を実施するための最良の形態】
【００１０】
〔第１実施形態〕
本発明に係る電子機器の第１実施形態について、図１乃至図５を参照しながら説明する。第１実施形態の電子機器として、複数の筐体が開閉自在に結合されてなるクラムシェル型の携帯電話機１を例に挙げて説明する。図１（Ａ）は、携帯電話機１の開いた状態を示す正面図、図１（Ｂ）は、本発明に係る携帯電話機１の開いた状態を示す側面図、図２（Ａ）は、携帯電話機１の閉じた状態を示す正面図、図２（Ｂ）は、携帯電話機１の閉じた状態を示す側面図である。
【００１１】
携帯電話機１は、図１及び図２に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１及び図２のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００１２】
上筐体１０の内面（下筐体１１に対面する側の面）には、文字や画像等を含んだ表示情報を表示するためのディスプレイ１３が設けられている。ディスプレイ１３は、例えば液晶パネルで形成された液晶ディスプレイ、または有機ＥＬ（Ｅｌｅｃｔｒｏ−Ｌｕｍｉｎｅｓｃｅｎｃｅ）パネルで形成された有機ＥＬディスプレイである。液晶パネルは、液晶に電圧を加えることにより液晶分子の向き（配向）を変化させ、この配向変化を利用して光のシャッターを実現して、バックライト等の光源から発せられた光を遮ったり透過させたりすることにより所定のデータを表示する表示パネルである。また、有機ＥＬパネルは、有機化合物中に注入された電子と正孔の再結合によって生じた励起子（エキシトン）によって発光する現象を利用してデータを表示する表示パネルである。
【００１３】
また、上筐体１０の内面には、音声を出力するスピーカ１４が設けられている。これらのディスプレイ１３及びスピーカ１４は、携帯電話機１が閉じた状態のときには、下筐体１１により覆われていて外部に露出していないが、上筐体１０を下筐体１１に対して回転させて開いた状態に変形させたときには外部に露出される。
【００１４】
下筐体１１の内面（上筐体１０に対面する側の面）には、例えば、電源のＯＮ／ＯＦＦを切り替えるための電源キーや発呼処理を行うための発呼キー、数字や文字を入力するためのテンキー、テレビ機能を起動するためのテレビキー等からなる操作キー１５が設けられている。また下筐体１１の内面には、音声を集音するためのマイクロフォン１６が設けられている。これらの操作キー１５及びマイクロフォン１６は、携帯電話機１が閉じた状態のときには、上筐体１０により覆われていて外部に露出していないが、上筐体１０を下筐体１１に対して回転させて開いた状態に変形させたときには外部に露出される。
【００１５】
次に、携帯電話機１の機能について、図３に示すブロック図を用いて説明する。携帯電話機１は、図３に示すように、主制御部２０、電源回路部２１、操作入力制御部２２、表示制御部２３、音声制御部２４、通信制御部２５、記憶部２６、タイマ部２７、及びテレビ受信部２８が、バスによって相互に通信可能に接続されて構成されている。
【００１６】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する表示制御処理、その他の様々な演算処理や制御処理等を行う。電源回路部２１は、充電可能な電源供給源（バッテリ等）を備え、操作キー１５を介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００１７】
操作入力制御部２２は操作キー１５に対する入力インタフェースを備え、操作キー１５のいずれかが押されたことを検知すると、押された操作キー１５を示す信号を生成して主制御部２０に伝送する。また、携帯電話機１は加速度センサ２２ａを内蔵していて、ユーザが携帯電話機１に振動を加えたときに、この振動を検知して所定の処理を行う。操作入力制御部２２は、この加速度センサ２２ａにより所定値以上の加速度が検出された際に、加速度が加わった旨を示す信号を生成して主制御部２０に伝送する。
【００１８】
表示制御部２３はディスプレイ１３に対する表示インタフェースを備え、主制御部２０の制御に基づいて、ディスプレイ１３を点灯させたり消灯させたりする。表示制御部２３は、ディスプレイ１３を点灯させる際に、記憶部２６に記憶された文書データや画像データ、通信制御部２５を介して受信された文書データや画像データ、またはカメラで撮像中の画像データ、視聴中のテレビ放送等をディスプレイ１３に表示する。また、ディスプレイ１３が液晶ディスプレイであった場合には、表示制御部２３は、ディスプレイ１３のバックライトの点灯も同時に制御する。
【００１９】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１４から音声として出力する。
【００２０】
通信制御部２５は、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ１４から出力されたり、表示制御部２３に伝送されてディスプレイ１３に表示されたり、または記憶部２６に記録されたりする。また通信制御部２５は、主制御部２０の制御に基づいて、マイクロフォン１６で集音された音声データや操作キー１５を介して入力されたデータや記憶部２６に記憶されたデータを取得すると、これらのデータに対してスペクトラム拡散処理を行い、基地局に対してアンテナ２５ａを介して送信する。
【００２１】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する表示制御処理を行う際の処理プログラムは、例えばＲＯＭに記憶されているものとする。
【００２２】
タイマ部２７は、主制御部２０からタイマを開始させるための信号を受信することに基づいて計時を開始し、所定時間の経過に基づいて、タイマ終了を示す信号を生成して主制御部２０に伝送する。
【００２３】
テレビ受信部２８は、アンテナ２８ａを備えていて、主制御部２０の指示に基づいて、テレビ放送局からの地上波ディジタルワンセグ放送波、地上波デジタル放送、地上波３セグメントラジオ放送波等の放送波をアンテナ２８ａを介して受信する。そしてテレビ受信部２８は、主制御部２０の指示に基づいて、これらの受信した放送波の受信データを音声信号と画像信号に分離して、画像信号を表示制御部２３によりディスプレイ１３に表示するとともに音声信号を音声制御部２４によりスピーカ１４を介して出力する視聴処理を行う。
【００２４】
携帯電話機１は、ディスプレイ１３が点灯状態にあるときに、ユーザの操作キー１５を介した入力に基づいて、あるいは無操作状態が一定時間継続したことに基づいて、ディスプレイ１３を消灯状態に移行させることで、ディスプレイ１３の点灯による電力消費を軽減させ、省電力を図っている。そして携帯電話機１は、ディスプレイ１３が消灯状態にあるときに、例えばユーザによりテレビ放送の視聴が指示された場合、テレビ視聴機能の起動を開始してから起動が完了するまでの間、ユーザが所望しているテレビ放送の画面が表示されないため、ディスプレイ１３の消灯状態を維持することにより、ディスプレイ１３の不必要な点灯による消費電力を軽減させ、更なる省電力を図っている。
【００２５】
また、ディスプレイ１３が消灯状態にあるときにディスプレイ１３にＷｅｂサイトを表示する際も同様に、Ｗｅｂサイトの画面内容の受信を開始してから受信完了までの間、受信中である旨を示す画面が表示されるか、あるいは画面が更新されない状態が継続し、ユーザにとって、この状態の表示画面は所望の画面ではなく重要度が低いので、携帯電話機１は、この受信完了までの間のディスプレイ１３の点灯を禁止し、受信完了時にディスプレイ１３の点灯を許可することで、不必要な消費電力を低減させている。
【００２６】
また、ディスプレイ１３が消灯状態にあるときに音楽再生やゲーム等の任意のアプリケーションプログラムを起動する際にも同様に、アプリケーションプログラムの起動が開始されてから、この起動が完了するまでの間、ユーザにとって非所望の画面が表示されるので、携帯電話機１は起動が完了するまでディスプレイ１３の点灯を禁止する。
【００２７】
このように携帯電話機１は、ディスプレイ１３が消灯状態にあるときに、ユーザにより携帯電話機１の任意の機能を動作させるための操作が入力された場合、当該操作が入力されてからユーザが当該機能を操作可能な状態に至るまで、ディスプレイ１３の消灯状態を維持し、当該機能を操作可能または提供可能な状態に至ったことに基づいてディスプレイ１３の点灯を許可する表示制御処理を行う。
【００２８】
しかしながら、ユーザが携帯電話機１で任意の機能を動作させるための操作を行ったときに、ディスプレイ１３が点灯されるまでの待ち時間が長くなり過ぎてしまうと、ユーザが当該機能が実際に起動されているのかどうかを判断できず、不安に思う恐れがある。よって携帯電話機１は、この表示制御処理において、当該機能が起動されるまでのユーザの不安を解消するために、ユーザが任意の機能を動作させるための操作を行ったときに、当該機能の起動が完了するまでの待ち時間が予め設定された所定時間を超えた場合に、ディスプレイ１３を点灯し、残りの待ち時間の間、当該機能が起動中である旨をディスプレイ１３に表示する。
【００２９】
第１実施形態の携帯電話機１が、この表示制御処理を行う手順について、図４に示すフローチャート、図５に示す画面遷移図に基づいて説明する。ここでは携帯電話機１が起動された場合を一例として説明する。以下、例えば「ステップＳ１０１」を「Ｓ１０１」のように、「ステップ」の語句を省略して説明する。なお、携帯電話機１のディスプレイ１３の表示画面３０は、図５（Ａ）に示すように、始めに消灯状態にあるものとする。
【００３０】
まず主制御部２０は、テレビ視聴機能の起動が指示されたか否かを判断する（Ｓ１０１）。この際、例えばユーザによりテレビキーの操作キー１５が押されたことに基づいて、テレビ視聴機能の起動が指示されたものと判断する。テレビ視聴機能の起動が指示されていない場合（Ｓ１０１のＮｏ）は、主制御部２０はそのまま待機する。
【００３１】
テレビ視聴機能の起動が指示された場合（Ｓ１０１のＹｅｓ）は、主制御部２０は、ディスプレイ１３の点灯を禁止する（Ｓ１０３）。通常なら、ディスプレイが消灯状態にあるときに携帯電話機１が操作されたときには、ディスプレイ１３を点灯させてユーザが携帯電話機１の各種機能を使用できる状態に移行するが、ディスプレイ１３の消灯状態においてテレビ視聴機能等の起動に時間がかかる機能が起動された場合には、即座にディスプレイ１３を点灯させずに、テレビ視聴機能の起動が完了するまで、ディスプレイ１３の点灯を禁止する。この際、主制御部２０は、ディスプレイ１３が液晶ディスプレイであった場合にはバックライトの点灯を禁止し、ディスプレイ１３が有機ＥＬディスプレイであった場合には表示自体を禁止する。これにより、ディスプレイ１３の不必要な点灯による電力消費を軽減することができる。
【００３２】
主制御部２０は、ユーザの指示に従ってテレビ視聴機能（チューニングも含む）を起動する（Ｓ１０５）。この際、図５（Ｂ）に示すように、主制御部２０がテレビ視聴機能の起動を開始していても、ディスプレイ１３の表示画面３０は消灯状態が維持されている。さらに主制御部２０は、予め設定された所定時間（例えば１０秒）のタイマを起動する（Ｓ１０７）。この際、主制御部２０がタイマを開始するための信号をタイマ部２７に伝送すると、信号を受信したタイマ部２７がタイマを起動して、所定時間の計時を開始し、所定時間が経過したときに、タイマ終了を示す信号を主制御部２０に対して送信する。
【００３３】
主制御部２０は、ステップＳ１０７にて起動したタイマが終了したか否かを判断する（Ｓ１０９）。この際、主制御部２０は、タイマ部２７からタイマ終了を示す信号を受信することに基づいて、タイマが終了したものと判断する。
【００３４】
タイマが終了していない場合（Ｓ１０９のＮｏ）は、主制御部２０は、テレビ視聴機能の起動やチューニングが完了したか否かを判断する（Ｓ１１１）。テレビ視聴機能の起動やチューニングが完了した場合（Ｓ１１１のＹｅｓ）は、主制御部２０は、ディスプレイ１３を点灯させ（Ｓ１１３）、図５（Ｃ）に示すように、ディスプレイ１３の表示多面３０においてテレビ放送の表示を開始する。この際、主制御部２０は、ディスプレイ１３が液晶ディスプレイであった場合はバックライトを点灯させ、ディスプレイ１３が有機ＥＬディスプレイであった場合は表示を開始する。
【００３５】
テレビ視聴機能の起動やチューニングが完了していない場合（Ｓ１１１のＮｏ）は、ステップＳ１０９に戻って、主制御部２０は、再びステップＳ１０７にて起動したタイマが終了したか否かを判断する。
【００３６】
タイマが終了した場合（Ｓ１０９のＹｅｓ）は、時間がかかっているがテレビ視聴機能がきちんと起動されていることをユーザに通知するために、主制御部２０は、ディスプレイ１３を点灯させる（Ｓ１１５）。この際、主制御部２０は、ディスプレイ１３が液晶ディスプレイであった場合はバックライトを点灯させ、ディスプレイ１３が有機ＥＬディスプレイであった場合は表示を開始する。
【００３７】
主制御部２０は、テレビ視聴機能が起動中である旨をディスプレイ１３に表示させて、ユーザにテレビ視聴機能が起動中である旨を通知する（Ｓ１１７）。この際、主制御部２０は、例えば図５（Ｄ）に示すように、ディスプレイ１３の表示画面３０に「テレビ視聴機能が起動中です」等のメッセージが表示された表示欄３１を表示する。ユーザは、この表示を確認することにより、携帯電話機１においてテレビ視聴機能が起動中であることを認識することができる。
【００３８】
主制御部２０は、ステップＳ１１１と同様に、テレビ視聴機能の起動やチューニングが完了したか否かを判断する（Ｓ１１９）。テレビ視聴機能の起動やチューニングが完了していない場合（Ｓ１１９のＮｏ）は、主制御部２０は、テレビ視聴機能が起動中である旨をディスプレイ１３に表示させた状態で、テレビ視聴機能の起動やチューニングが完了するまで待機する。
【００３９】
テレビ視聴機能の起動やチューニングが完了した場合（Ｓ１１９のＹｅｓ）は、主制御部２０は、ディスプレイ１３におけるテレビ視聴機能が起動中である旨の表示を終了して（Ｓ１２１）、図５（Ｃ）に示すように、ディスプレイ１３の表示画面３０にテレビ放送を表示する。
【００４０】
このようにして携帯電話機１は、ディスプレイ１３が消灯状態にあるときに、例えばテレビ視聴機能を動作させる操作が入力された場合に、テレビ視聴機能が起動されてチューニングが完了し、テレビが視聴可能にいたるまでの間、または、テレビ視聴機能の起動が開始されてから所定時間が経過するまでの間、ディスプレイ１３の消灯状態を維持し、テレビが視聴可能になったり、テレビ視聴機能の起動が開始されてから所定時間を経過したりしたことに基づいて、ディスプレイ１３の点灯を許可する。また携帯電話機１は、所定時間以内にテレビ視聴機能の起動が完了しなかった場合には、この所定時間の経過後に、ディスプレイ１３を点灯させてこの機能が起動中である旨を表示する。
【００４１】
第１実施形態によると、ディスプレイ１３が消灯状態にあるときに、ユーザがテレビ視聴機能等の起動に時間がかかる機能を動作させるための操作を行った場合、この機能の起動が開始されてから実際にテレビ視聴機能等をユーザが享受できる状態になるまでの間、ディスプレイ１３の点灯を禁止することで、ディスプレイ１３の消費電力を削減することが可能となる。
【００４２】
また、第１実施形態によると、ディスプレイ１３が消灯状態にあるときに、ユーザがテレビ視聴機能等の起動に時間がかかる機能を動作させるための操作を行った際に、テレビ電波状況等によりテレビ視聴機能のチューニング等の動作に時間がかかってしまい、ディスプレイ１３の消灯状態が所定時間以上継続してしまう場合には、この所定時間の経過後に、ユーザに対してテレビ視聴機能等の機能が起動中である旨の通知を行うことで、ディスプレイ１３が点灯しないことに対するユーザの不安を解消することができる。
【００４３】
〔第２実施形態〕
本発明に係る電子機器の第２実施形態について、図６及び図７を参照しながら説明する。なお、第１実施形態と同一の構成には同一の符号を付し、重複する説明を省略する。第２実施形態の電子機器（携帯電話機１）は、図１及び図２に示すように、第１実施形態の携帯電話機１と同一の構成を備えている。また第２実施形態の電子機器（携帯電話機１）は、図３に示すように、第１実施形態の携帯電話機１と同様に、主制御部２０、電源回路部２１、操作入力制御部２２、表示制御部２３、音声制御部２４、通信制御部２５、記憶部２６、タイマ部２７、及びテレビ受信部２８が、バスによって相互に通信可能に接続されて構成されている。
【００４４】
第１実施形態の携帯電話機１は、ディスプレイ１３が消灯状態にあるときに例えばテレビ視聴機能の起動が指示された場合、この機能の起動が開始されてから起動が完了するまでの間、ディスプレイ１３の点灯を禁止し、所定時間が経過したときに、ディスプレイ１３の表示を許可するものであったが、第２実施形態の携帯電話機１は、この機能の起動が開始されてから起動が完了するまでの間に、ユーザが携帯電話機１を操作したときに、当該操作を無効にするとともにディスプレイ１３を点灯し、この機能が起動中である旨をディスプレイ１３に表示するものである。
【００４５】
第２実施形態の携帯電話機１が、この表示制御処理を行う手順について、図６に示すフローチャート、図７に示す画面遷移図に基づいて説明する。なお、第１実施形態と同様に、携帯電話機１のディスプレイ１３の表示画面３０は、図７（Ａ）に示すように、始めに消灯状態にあるものとする。
【００４６】
まず主制御部２０は、テレビ視聴機能の起動が指示されたか否かを判断する（Ｓ２０１）。この際、例えばユーザによりテレビキーの操作キー１５が押されたことに基づいて、テレビ視聴機能の起動が指示されたものと判断する。テレビ視聴機能の起動が指示されていない場合（Ｓ２０１のＮｏ）は、主制御部２０はそのまま待機する。
【００４７】
テレビ視聴機能の起動が指示された場合（Ｓ２０１のＹｅｓ）は、主制御部２０は、ディスプレイ１３の点灯を禁止する（Ｓ２０３）。この際、主制御部２０は、ディスプレイ１３が液晶ディスプレイであった場合にはバックライトの点灯を禁止し、ディスプレイ１３が有機ＥＬディスプレイであった場合には表示自体を禁止する。これにより、ディスプレイ１３の不必要な点灯による電力消費を軽減することができる。
【００４８】
主制御部２０は、ユーザの指示に従ってテレビ視聴機能（チューニングも含む）を起動する（Ｓ２０５）。この際、図７（Ｂ）に示すように、主制御部２０がテレビ視聴機能の起動を開始していても、ディスプレイ１３の表示画面３０は消灯状態が維持されている。
【００４９】
主制御部２０は、携帯電話機１がユーザにより操作されたか否かを判断する（Ｓ２０７）。この際、主制御部２０は、押された操作キー１５を示す信号や加速度が所定値以上である旨をしめす信号を操作入力制御部２２から受信したことに基づいて、携帯電話機１がユーザにより操作されたものと判断する。
【００５０】
携帯電話機１がユーザにより操作されていない場合（Ｓ２０７のＮｏ）は、主制御部２０は、テレビ視聴機能の起動やチューニングが完了したか否かを判断する（Ｓ２０９）。テレビ視聴機能の起動やチューニングが完了した場合（Ｓ２０９のＹｅｓ）は、主制御部２０は、ディスプレイ１３を点灯させ（Ｓ２１１）、図７（Ｃ）に示すように、ディスプレイ１３の表示多面３０においてテレビ放送の表示を開始する。この際、主制御部２０は、ディスプレイ１３が液晶ディスプレイであった場合はバックライトを点灯させ、ディスプレイ１３が有機ＥＬディスプレイであった場合は表示を開始する。
【００５１】
テレビ視聴機能の起動やチューニングが完了していない場合（Ｓ２０９のＮｏ）は、ステップＳ２０７に戻って、主制御部２０は、携帯電話機１がユーザにより操作されたか否かを判断する。
【００５２】
携帯電話機１がユーザにより操作された場合（Ｓ２０７のＹｅｓ）は、テレビ視聴機能が起動中であるため、主制御部２０は、ステップＳ２０７にて検出された操作を無効にする（Ｓ２１３）。また主制御部２０は、ディスプレイ１３を点灯させる（Ｓ２１５）。この際、主制御部２０は、ディスプレイ１３が液晶ディスプレイであった場合はバックライトを点灯させ、ディスプレイ１３が有機ＥＬディスプレイであった場合は表示を開始する。
【００５３】
主制御部２０は、テレビ視聴機能が起動中である旨をディスプレイ１３に表示させて、ユーザにテレビ視聴機能が起動中である旨を通知する（Ｓ２１７）。この際、主制御部２０は、例えば図７（Ｄ）に示すように、ディスプレイ１３の表示画面３０に「テレビ視聴機能が起動中です」等のメッセージが表示された表示欄３１を表示する。ユーザは、この表示を確認することにより、携帯電話機１においてテレビ視聴機能が起動中であることを認識することができる。
【００５４】
主制御部２０は、ステップＳ２０９と同様に、テレビ視聴機能の起動やチューニングが完了したか否かを判断する（Ｓ２１９）。テレビ視聴機能の起動やチューニングが完了していない場合（Ｓ２１９のＮｏ）は、主制御部２０は、テレビ視聴機能が起動中である旨をディスプレイ１３に表示させた状態で、テレビ視聴機能の起動やチューニングが完了するまで待機する。
【００５５】
テレビ視聴機能の起動やチューニングが完了した場合（Ｓ２１９のＹｅｓ）は、主制御部２０は、ディスプレイ１３におけるテレビ視聴機能が起動中である旨の表示を終了して（Ｓ２２１）、図７（Ｃ）に示すように、ディスプレイ１３の表示画面３０にテレビ放送を表示する。
【００５６】
このようにして携帯電話機１は、ディスプレイ１３が消灯状態にあるときに、例えばテレビ視聴機能を動作させる操作が入力された場合に、テレビ視聴機能が起動されてチューニングが完了し、テレビが視聴可能にいたるまでの間、または、テレビ視聴機能の起動が開始されてからユーザが携帯電話機１を操作するまでの間、ディスプレイ１３の消灯状態を維持し、テレビが視聴可能になったり、ユーザが携帯電話機１を操作したことに基づいて、ディスプレイ１３の点灯を許可する。また携帯電話機１は、このテレビ視聴機能の起動が完了するまでの間にユーザによる操作入力が発生したら、ディスプレイ１３を点灯させてこの機能が起動中である旨を表示するとともに、当該操作入力を無効にする。
【００５７】
第２実施形態によると、ディスプレイ１３が消灯状態にあるときに、ユーザがテレビ視聴機能等の起動に時間がかかる機能を動作させるための操作を行った場合、この機能の起動が開始されてから実際にテレビ視聴機能等をユーザが享受できる状態になるまでの間、ディスプレイ１３の点灯を禁止することで、ディスプレイ１３の消費電力を削減することが可能となる。
【００５８】
また、第２実施形態によると、ディスプレイ１３が消灯状態にあるときに、ユーザがテレビ視聴機能等の起動に時間がかかる機能を動作させるための操作を行った際に、この機能の起動が開始されてから完了されるまでの間にユーザによる操作入力が発生した場合に、ディスプレイ１３を点灯させてこの機能が起動中である旨を表示するとともに、当該操作を無効にしてテレビ視聴機能の起動を継続することにより、ユーザが意図しない操作による誤動作を防止することが可能である。
【００５９】
なお、第１実施形態と第２実施形態とを組み合わせて実施しても良い。すなわち、携帯電話機１において、ディスプレイ１３が消灯状態にあるときにユーザがテレビ視聴機能等の起動に時間がかかる機能を動作させるための操作を行った場合、この機能の起動が完了する前に、この機能の起動を開始してから所定時間が経過したこと、または、操作入力が発生したことに基づいてディスプレイ１３の点灯を許可して、この機能が起動中である旨をディスプレイ１３に表示するようにしても良い。
【００６０】
また、第１実施形態及び第２実施形態として、携帯電話機１がテレビ視聴機能を起動する場合について説明したが、起動する機能はテレビ視聴機能に限定されず、カメラ機能、音楽再生機能、データ通信機能、ゲーム機能等、起動に時間がかかる機能であれば任意の機能に適用することができる。
【００６１】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、小型テレビ機器、デジタルカメラ、ビデオカメラ、携帯オーディオ機器、携帯ビデオ機器等、何らかの機能を実行する電子機器であれば、任意の電子機器であって良い。
【図面の簡単な説明】
【００６２】
【図１】（Ａ）は、本発明に係る電子機器（携帯電話機）の開いた状態を示す正面図、（Ｂ）は、本発明に係る携帯電話機の開いた状態を示す側面図。
【図２】（Ａ）は、本発明に係る電子機器（携帯電話機）の閉じた状態を示す正面図、（Ｂ）は、本発明に係る電子機器（携帯電話機）の閉じた状態を示す側面図。
【図３】本発明に係る電子機器（携帯電話機）のブロック図。
【図４】第１実施形態の電子機器（携帯電話機）が表示制御処理を行う際の手順を示すフローチャート。
【図５】第１実施形態の電子機器（携帯電話機）が表示制御処理を行う際の画面遷移図。
【図６】第２実施形態の電子機器（携帯電話機）が表示制御処理を行う際の手順を示すフローチャート。
【図７】第２実施形態の電子機器（携帯電話機）が表示制御処理を行う際の画面遷移図。
【符号の説明】
【００６３】
１…携帯電話機，１０…上筐体，１１…下筐体，１２…ヒンジ部，１３…ディスプレイ，１４…スピーカ，１５…操作キー，１６…マイクロフォン，２０…主制御部，２１…電源回路部，２２…操作入力制御部，２２ａ…加速度センサ，２３…表示制御部，２４…音声制御部，２５…通信制御部，２５ａ…アンテナ，２６…記憶部，２７…タイマ部，２８…テレビ受信部，３０…表示画面，３１…表示欄。
【図１】
2009294987.tif 000003
【図２】
2009294987.tif 000004
【図３】
2009294987.tif 000005
【図４】
2009294987.tif 000006
【図５】
2009294987.tif 000007
【図６】
2009294987.tif 000008
【図７】
2009294987.tif 000009